(57)【特許請求の範囲】
【請求項１】
グループ化される各紙幣の記番号を読み取る記番号読取部と、
前記記番号読取部で読み取られた複数の記番号をグループ化して管理すると共に、記番号の入力を受け付けて、複数のグループの中から、入力された記番号を含むグループを特定して、該グループの全紙幣の記番号を特定する制御部と
を備えることを特徴とする貨幣管理システム。
【請求項２】
前記制御部は、
グループ化する複数紙幣の記番号をグループコードと関連付けて管理すると共に、
グループコードの入力を受け付けて、複数のグループの中から、入力されたグループコードと関連付けられた記番号を特定して、グループ化された全紙幣の記番号を特定する
ことを特徴とする請求項１に記載の貨幣管理システム。
【請求項３】
グループ化する紙幣を指定するための操作部と、
紙幣を識別計数する紙幣処理部と
をさらに備え、
記番号をグループ化する紙幣の金種及び枚数の指定を前記操作部で受け付けて、
前記紙幣処理部は、指定されたグループに属する紙幣であるか否かを判定して、
前記記番号読取部は、前記グループに属すると判定された紙幣の記番号を読み取って、
前記制御部は、前記記番号読取部で読み取られた記番号をグループ化する
ことを特徴とする請求項１又は２に記載の貨幣管理システム。
【請求項４】
グループ化する紙幣を指定するための操作部
をさらに備え、
グループ化開始の指示及びグループ化終了の指示を前記操作部で受け付けて、
前記制御部は、前記操作部でグループ化開始の指示を受け付けてからグループ化終了の指示を受け付けるまでの間に、前記記番号読取部で読み取られた紙幣の記番号をグループ化する
ことを特徴とする請求項１又は２に記載の貨幣管理システム。
【請求項５】
前記制御部は、グループ化した全紙幣の記番号と、グループ化した紙幣を収納した収納容器を示す収納容器情報とを関連付けて管理することを特徴とする請求項１〜４のいずれか１項に記載の貨幣管理システム。
【請求項６】
グループ化された紙幣ごとに、紙幣を識別計数すると共に前記紙幣の記番号を読み取る紙幣処理装置と、
前記紙幣処理装置で読み取った紙幣の記番号を、前記紙幣処理装置から取得して前記グループごとに管理すると共に、紙幣収納容器に収納する紙幣として準備された１つのグループの紙幣から取り出した１枚の紙幣の記番号が入力されると、管理された複数のグループの中から、入力された前記記番号を含むグループを特定して、前記紙幣収納容器に収納される全紙幣の記番号を特定する管理サーバと
を備えることを特徴とする貨幣管理システム。
【請求項７】
グループ化される各紙幣の記番号を紙幣処理装置で読み取る記番号読取工程と、
前記記番号読取工程で読み取った複数の記番号をグループ化して管理サーバで管理する管理工程と、
前記管理サーバに記番号を入力する入力工程と、
前記管理サーバで管理する複数のグループの中から、前記入力工程で入力された記番号を含むグループを特定すると共に、該グループの全紙幣の記番号を特定する特定工程と
を含んだことを特徴とする貨幣管理方法。
【請求項８】
紙幣処理装置で、グループ化された紙幣ごとに、紙幣を識別計数すると共に前記紙幣の記番号を読み取る紙幣処理工程と、
管理サーバで、前記紙幣処理工程で読み取った紙幣の記番号を前記紙幣処理装置から取得して前記グループごとに管理する管理工程と、
紙幣収納容器に収納する紙幣として準備された１つのグループの紙幣から取り出した１枚の紙幣の記番号を入力する入力工程と、
前記管理サーバで管理された複数のグループの中から、前記入力工程で入力された前記記番号を含むグループを特定して、前記紙幣収納容器に収納される全紙幣の記番号を特定する特定工程と
を含んだことを特徴とする貨幣管理方法。
【発明の詳細な説明】
【技術分野】
【０００１】
この発明は多数枚の貨幣を管理する貨幣管理システム及び貨幣管理方法に関する。
【背景技術】
【０００２】
従来、各紙幣を管理するために各紙幣に印刷されている記番号が利用されている。例えば、特許文献１には、複数枚紙幣のそれぞれから記番号を読み取って、全ての記番号と関連付けた管理コードを作成し、管理コードを印刷した管理票を付して紙幣を管理する貨幣管理システムが開示されている。記番号を読み取った複数枚のバラ紙幣は、例えばゴムでまとめて管理票を付して保管する。そして、保管しておいたバラ紙幣をカセットやバッグ等の収納容器に収納して運搬する際には、このバラ紙幣に付されていた管理票の管理コードを読み取って、各収納容器を識別する収納容器ＩＤと関連付けて管理する。これにより、収納容器に付された収納容器ＩＤから管理コードを特定し、特定した管理コードから収納容器に収納されている全紙幣の記番号を特定することができる。所定枚数の紙幣を結束帯によって結束する場合も、結束帯に管理コードを印刷することにより、結束紙幣に含まれる全紙幣の記番号を管理コードと関連付けて管理することができる。
【先行技術文献】
【特許文献】
【０００３】
【特許文献１】特開２０１５−５６０１０号公報
【発明の概要】
【発明が解決しようとする課題】
【０００４】
しかしながら、上記従来技術によれば、バラ紙幣を管理する際には管理コードを印刷した管理票を出力するためのプリンタが必要となり、結束紙幣を管理する際には結束紙幣に管理コードを印刷するためのプリンタが必要となる。また、バラ紙幣を保管している間に、破損や汚れにより管理票に印刷されている管理コードを読めなくなったり管理票を紛失したりして、各紙幣の記番号を特定できなくなる場合があった。同様に、結束紙幣の場合も、結束帯の破損や汚れにより管理コードを読めなくなったり結束帯が破断して紛失したりして、各紙幣の記番号を特定できなくなる場合があった。
【０００５】
本発明は、上述した従来技術による問題点を解消するためになされたもので、管理コードを印刷するためのプリンタ等を新たに導入することなく、多数枚の紙幣を容易に管理することができる貨幣管理システム及び貨幣管理方法を提供することを目的とする。
【課題を解決するための手段】
【０００６】
上述した課題を解決し、目的を達成するため、本発明は、貨幣管理システムであって、グループ化される各紙幣の記番号を読み取る記番号読取部と、前記記番号読取部で読み取られた複数の記番号をグループ化して管理すると共に、記番号の入力を受け付けて、複数のグループの中から、入力された記番号を含むグループを特定して、該グループの全紙幣の記番号を特定する制御部とを備えることを特徴とする。
【０００７】
また、本発明は、上記発明において、前記制御部は、グループ化する複数紙幣の記番号をグループコードと関連付けて管理すると共に、グループコードの入力を受け付けて、複数のグループの中から、入力されたグループコードと関連付けられた記番号を特定して、グループ化された全紙幣の記番号を特定することを特徴とする。
【０００８】
また、本発明は、上記発明において、グループ化する紙幣を指定するための操作部と、紙幣を識別計数する紙幣処理部とをさらに備え、記番号をグループ化する紙幣の金種及び枚数の指定を前記操作部で受け付けて、前記紙幣処理部は、指定されたグループに属する紙幣であるか否かを判定して、前記記番号読取部は、前記グループに属すると判定された紙幣の記番号を読み取って、前記制御部は、前記記番号読取部で読み取られた記番号をグループ化することを特徴とする。
【０００９】
また、本発明は、上記発明において、グループ化する紙幣を指定するための操作部をさらに備え、グループ化開始の指示及びグループ化終了の指示を前記操作部で受け付けて、前記制御部は、前記操作部でグループ化開始の指示を受け付けてからグループ化終了の指示を受け付けるまでの間に、前記記番号読取部で読み取られた紙幣の記番号をグループ化することを特徴とする。
【００１０】
また、本発明は、上記発明において、前記制御部は、グループ化した全紙幣の記番号と、グループ化した紙幣を収納した収納容器を示す収納容器情報とを関連付けて管理することを特徴とする。
【００１１】
また、本発明は、貨幣管理システムであって、グループ化された紙幣ごとに、紙幣を識別計数すると共に前記紙幣の記番号を読み取る紙幣処理装置と、前記紙幣処理装置で読み取った紙幣の記番号を、前記紙幣処理装置から取得して前記グループごとに管理すると共に、紙幣収納容器に収納する紙幣として準備された１つのグループの紙幣から取り出した１枚の紙幣の記番号が入力されると、管理された複数のグループの中から、入力された前記記番号を含むグループを特定して、前記紙幣収納容器に収納される全紙幣の記番号を特定する管理サーバとを備えることを特徴とする。
【００１２】
また、本発明は、貨幣管理方法であって、グループ化される各紙幣の記番号を紙幣処理装置で読み取る記番号読取工程と、前記記番号読取工程で読み取った複数の記番号をグループ化して管理サーバで管理する管理工程と、前記管理サーバに記番号を入力する入力工程と、前記管理サーバで管理する複数のグループの中から、前記入力工程で入力された記番号を含むグループを特定すると共に、該グループの全紙幣の記番号を特定する特定工程とを含んだことを特徴とする。
【００１３】
また、本発明は、貨幣管理方法であって、紙幣処理装置で、グループ化された紙幣ごとに、紙幣を識別計数すると共に前記紙幣の記番号を読み取る紙幣処理工程と、管理サーバで、前記紙幣処理工程で読み取った紙幣の記番号を前記紙幣処理装置から取得して前記グループごとに管理する管理工程と、紙幣収納容器に収納する紙幣として準備された１つのグループの紙幣から取り出した１枚の紙幣の記番号を入力する入力工程と、前記管理サーバで管理された複数のグループの中から、前記入力工程で入力された前記記番号を含むグループを特定して、前記紙幣収納容器に収納される全紙幣の記番号を特定する特定工程とを含んだことを特徴とする。
【発明の効果】
【００１４】
本発明によれば、貨幣管理システムによって、複数の紙幣から読み取った記番号をグループ化して管理することにより、１つの記番号から該記番号を含むグループを特定して、グループ化された全紙幣の記番号を特定することができる。例えば、銀行や現金センターで整理する大量の紙幣をグループ化して管理すれば、整理済みの紙幣を再利用する際には、１枚の紙幣から読み取った記番号に基づいて、その紙幣が属するグループの全紙幣の記番号を特定することができる。紙幣に印刷されている記番号を利用するので、グループ化した紙幣を管理するための管理コードを作成して該管理コードを含む管理票を印刷して紙幣束に付したり、結束紙幣の結束帯に管理コードを印刷したりする必要がなく、多数枚の紙幣を容易に管理することができる。
【図面の簡単な説明】
【００１５】
【図１】図１は、本実施形態に係る貨幣管理システムで行う貨幣管理方法を説明するための模式図である。
【図２】図２は、貨幣管理システムを構成する各装置の構成概略を示すブロック図である。
【図３】図３は、管理サーバで管理される記番号の例を示す図である。
【図４】図４は、管理サーバで管理される、紙幣の記番号及びこの紙幣に関する情報の例を示す図である。
【図５】図５は、紙幣処理装置でグループ化する紙幣を指定する方法を説明するフローチャートである。
【図６】図６は、グループ化済みの紙幣束を１グループにまとめる方法を説明するための模式図である。
【発明を実施するための形態】
【００１６】
以下に、添付図面を参照して、本発明に係る貨幣管理システム及び貨幣管理方法について詳細に説明する。本実施形態に係る貨幣管理システムは、銀行等の金融機関、大量の紙幣を扱う現金センター、大型の小売店舗等の様々な場所で、多数枚の紙幣を管理するために利用可能であるが、以下では、銀行本店から銀行支店へ輸送する紙幣を例に貨幣管理システムについて説明する。
【００１７】
図１は、本実施形態に係る貨幣管理システムで行う貨幣管理方法を説明するための模式図である。貨幣管理システムは、紙幣の記番号を読み取る紙幣処理装置１０と、紙幣処理装置１０で処理された紙幣に関する情報を管理する管理サーバ２０と、管理サーバ２０で管理されている情報を利用する支店サーバ６０とを含んで構成される。なお、管理サーバ２０と通信可能に接続される紙幣処理装置１０の台数は特に限定されないが、複数台の紙幣処理装置１０を含む場合も各紙幣処理装置１０で同様の処理が行われるため、以下では１台の紙幣処理装置１０が利用されている場合を例に説明することとする。
【００１８】
紙幣処理装置１０及び管理サーバ２０は銀行本店１に設置されており、支店サーバ６０は銀行支店２に設置されている。銀行本店１では、紙幣処理装置１０を利用して、ＡＴＭ（現金自動預払機）５０や銀行支店２で利用する紙幣を準備する。具体的には、ＡＴＭ５０で利用する紙幣をＡＴＭカセット３０に詰めて、ＡＴＭ５０の設置拠点まで輸送してＡＴＭ５０へ装着する。また、銀行支店２で利用する紙幣を紙幣収納袋４１、４２に詰めて、銀行支店２へ輸送する。ただし、多数枚の紙幣を輸送可能であれば、紙幣の輸送態様は特に限定されず、カセットや紙幣収納袋の他、例えば、鞄に詰めて運んだり小型の金庫に詰めて運んだりする態様であっても構わない。
【００１９】
紙幣処理装置１０は、受入部に載置された複数枚の紙幣１００を装置内の搬送路に１枚ずつ取り込んで、搬送路に設けられた識別部によって金種、真偽、正損等を識別し、複数の集積部に種類別に分類して集積する機能を有する。このとき、識別部によって識別できない紙幣、偽の紙幣（偽券）であると識別された紙幣、偽券の疑いがあると識別された紙幣（サスペクト券）、予め設定された基準に基づいて傷みがひどく再利用できないと判定された紙幣（損券）等は、リジェクト部にリジェクトされる。すなわち、紙幣処理装置１０の各集積部には、ＡＴＭ５０や銀行支店２で利用可能な正常紙幣のみが集積される。
【００２０】
また、紙幣処理装置１０は、各紙幣に印刷されている記番号を識別部で読み取って管理サーバ２０へ出力する機能を有する。記番号とは、各紙幣を識別するために印刷されている各紙幣固有の識別番号で、同じ金種の紙幣であっても、記番号によって各紙幣を区別できるようになっている。紙幣の記番号を読み取って出力する機能を有していれば、紙幣処理装置１０の機能及び構造は特に限定されず、例えば、紙幣処理装置１０が、所定枚数の紙幣を結束する結束部を有していてもよいし、紙幣に加えて硬貨を処理可能であってもよい。なお、紙幣識別、記番号読み取り、分類集積、結束等の紙幣処理については、従来技術を利用可能であるため詳細な説明は省略する。
【００２１】
管理サーバ２０及び支店サーバ６０はコンピュータ装置等から成り、銀行本店１に設置された管理サーバ２０は、紙幣処理装置１０でグループ化された紙幣記番号等の情報を受信して、ハードディスク等の不揮発性の記憶部に保存して管理する機能を有する。銀行支店２に設置された支店サーバ６０は、公衆通信網や専用通信網を介して、銀行本店１に設置された管理サーバ２０と通信を行い、管理サーバ２０で管理されている情報を利用する機能を有する。
【００２２】
紙幣処理装置１０の集積部は、内部に集積された紙幣を抜き取るための開口を有している。集積部内に予め指定したバッチ枚数分（例えば１００枚）の紙幣を集積するバッチ処理を行う場合には、集積枚数がバッチ枚数に達した集積部で、紙幣の集積が停止される。また、集積部が満杯になる枚数（例えば５００枚）まで紙幣を集積する場合には、集積部が満杯になった集積部で紙幣の集積が停止される。紙幣の集積が停止された集積部から紙幣を抜き取って、図１に示すように、抜き取った紙幣１１０をグループごとに区別して保管する。
【００２３】
このとき、集積部からの１回の抜き取り操作で得られた紙幣を１つのグループとしてもよいし、集積部からの複数回の抜き取り操作で得られた紙幣を１つのグループとしてもよい。例えば、バッチ枚数に達するまで集積した紙幣を集積部から抜き取って１グループとしてもよいし、満杯になる枚数に達するまで集積した紙幣を集積部から抜き取って１グループとしてもよい。また、例えば、バッチ枚数に達した紙幣を集積部から抜き取る操作を５回繰り返して、この５回のバッチ枚数分（５００枚）の紙幣を１グループとしてもよいし、バッチ枚数１００枚の紙幣の抜き取りを２０回繰り返したり、満杯になった５００枚の紙幣の抜き取りを４回繰り返すなどして２０００枚の紙幣を１つのグループとしてもよい。
【００２４】
紙幣処理装置１０では、グループ化する紙幣の種類を指定できるようになっている。具体的には、例えば、２０００枚の正券の千円札を１グループとするよう指定してから紙幣処理を開始する。この指定を受けて、紙幣処理装置１０は、受入部に載置される紙幣を１枚ずつ装置内に繰り出して識別計数すると共に記番号を読み取って、千円札以外の紙幣、千円札ではあるが記番号を読み取れない紙幣、千円札ではあるが損券である紙幣等をリジェクトしながら、正券かつ記番号を読み取ることができた千円札のみを集積部に集積する。そして、集積部に集積した紙幣の合計枚数が２０００枚に達すると、紙幣の集積が停止される。利用者は、集積部から抜き取った合計２０００枚の紙幣１１０を、１つにグループ化された紙幣として、他の紙幣と区別して保管する。具体的には、集積部から抜き取った２０００枚の紙幣１１０を専用の籠や袋等の収納容器に入れたり、ゴムやテープ等で結束したりすることで、他の紙幣と区別する。グループ化された紙幣をすぐに再利用しない場合には、グループ化した状態で金庫等に保管する。
【００２５】
紙幣処理装置１０は、グループ化するよう指定された２０００枚の正券の千円札を集積部に集積し終えると、これら２０００枚の紙幣から読み取った記番号を１グループの紙幣の記番号として、関連する情報と共に管理サーバ２０へ出力する。管理サーバ２０では、図１に示すように、グループ化する千円札の正券２０００枚分の記番号を、グループ化して、記番号データ２０Ａとして管理する。
【００２６】
紙幣処理装置１０でグループ化された紙幣は、例えば、ＡＴＭ５０用の紙幣として再利用される。例えば、ＡＴＭカセット３０に正券の千円札２０００枚を装填する場合には、上述したように、紙幣処理装置１０で正券の千円札２０００枚をグループ化するよう指定して、記番号データ２０Ａによって全ての記番号が管理された正券の千円札２０００枚を準備しておく。そして、準備した正券の千円札２０００枚をＡＴＭカセット３０に装填する際に、このグループの２０００枚の紙幣のうち１枚の紙幣の記番号を読み取れば、管理サーバ２０で管理されている記番号データ２０Ａ、２０Ｂの中から、この紙幣が属するグループの記番号データ２０Ａを特定して、他の１９９９枚の紙幣の記番号は記番号データ２０Ａを参照して特定することができる。すなわち、グループに含まれる任意の１枚の紙幣の記番号から、グループに属する全紙幣の記番号を特定することができる。なお、ＡＴＭカセット３０に、このＡＴＭカセット３０を特定可能なカセットＩＤ等の収納容器情報が付されている場合には、ＡＴＭカセット３０の収納容器情報と、ＡＴＭカセット３０に装填した紙幣の記番号データ２０Ａとを関連付けて管理サーバ２０上で管理してもよい。
【００２７】
また、ＡＴＭカセット３０に紙幣を装填する際には記番号を特定せずに、ＡＴＭ５０で紙幣の記番号を特定してもよい。グループ化された２０００枚の紙幣が詰められたＡＴＭカセット３０は、ＡＴＭ５０の設置拠点へ輸送されて、ＡＴＭ５０に装着される。ＡＴＭ５０では、ＡＴＭカセット３０に収納されている２０００枚の紙幣のうち１枚の紙幣の記番号を読み取って記録しておけば、残りの１９９９枚の紙幣の記番号は、管理サーバ２０で管理されている記番号データ２０Ａを参照して特定することができる。なお、ＡＴＭ５０での記番号の読み取りは、ＡＴＭカセット３０をセットした後に行われるＡＴＭ５０での出金処理中に行う態様であってもよいし、ＡＴＭカセット３０をＡＴＭ５０へセットした際の動作確認の一環として、ＡＴＭカセット３０から紙幣を繰り出して記番号を読み取った後にＡＴＭカセット３０に再収納する態様であってもよい。
【００２８】
また、紙幣処理装置１０でグループ化する紙幣の記番号を読み取りつつ、その紙幣をすぐにＡＴＭカセット３０や紙幣収納袋４１に詰めてもよい。例えば、銀行本店１の紙幣処理装置１０で、銀行支店２の窓口で出金用に利用する紙幣として、１つの紙幣グループを作成する場合は、グループ化する複数の金種と各金種の紙幣枚数とを指定してから、紙幣処理を開始する。グループ化する紙幣の金種及び枚数が指定されると、紙幣処理装置１０は、受入部に載置される紙幣を１枚ずつ装置内に繰り出して識別計数すると共に記番号を読み取って、指定金種以外の紙幣、指定金種ではあるが記番号を読み取れない紙幣、指定金種ではあるが銀行窓口での利用に適さない損券等をリジェクトしながら、銀行窓口で利用可能かつ記番号を読み取ることができた指定金種の紙幣のみを集積部に金種別に分類して集積する。利用者は、集積部に集積された各金種の紙幣１１０を抜き取って、紙幣収納袋４１に詰める。そして、紙幣処理装置１０は、指定された各金種の紙幣をそれぞれ指定枚数分だけ集積部に集積し終えると、これらの紙幣から読み取った記番号を１グループの紙幣の記番号として、関連する情報と共に管理サーバ２０へ出力する。管理サーバ２０では、図１に示すように、紙幣収納袋４１に詰められた全ての紙幣の記番号をグループ化して、記番号データ２０Ｂとして管理する。このとき、紙幣収納袋４１に、この袋を特定可能なバッグＩＤ等の収納容器情報が付されている場合には、このバッグＩＤを、記番号データ２０Ｂと関連付けて管理サーバ２０上で管理してもよい。
【００２９】
また、紙幣収納袋４１に詰められた紙幣の記番号を、後から確認することもできる。紙幣収納袋４１に詰められた紙幣は銀行支店２へ輸送される。銀行支店２では、紙幣収納袋４１から取り出した大量の紙幣のうち１枚の紙幣１１１の記番号を読み取って、支店サーバ６０へ入力する。支店サーバ６０は、入力された紙幣１１１の記番号を管理サーバ２０へ送信して、この紙幣１１１が含まれるグループの記番号情報を要求する。管理サーバ２０は、支店サーバ６０から受信した紙幣１１１の記番号に基づいて、この紙幣１１１が含まれるグループを特定し、このグループの全紙幣の記番号を含む記番号データ２０Ｂを支店サーバ６０へ送信する。支店サーバ６０は、管理サーバ２０からデータを受信すると、支店サーバ６０内に記番号データ６０Ａとして保存する。こうして銀行支店２では、１つの紙幣記番号から、紙幣収納袋４１で銀行支店２に輸送されてきた全紙幣の記番号を確認することができる。
【００３０】
なお、銀行支店２では、紙幣収納袋４１の中から取り出した１枚の紙幣１１１の記番号を支店サーバ６０内に記録しておいて、銀行支店２へ輸送された紙幣１１０の記番号を確認する必要が生じた場合にのみ、管理サーバ２０に紙幣１１１の記番号を送信して、記番号データ２０Ｂを要求する態様であってもよい。
【００３１】
また、銀行支店２で紙幣１１１の記番号を読み取る方法は特に限定されない。例えば、紙幣収納袋４１から取り出した紙幣を銀行支店２の紙幣処理装置に装填する場合には、この紙幣処理装置で紙幣１１１の記番号を読み取ってもよい。また、銀行支店２の支店員が、目視で紙幣１１１の記番号を読み取って支店サーバ６０に入力してもよいし、支店サーバ６０に接続されたスキャナを利用して紙幣１１１の記番号を読み取ってもよい。
【００３２】
銀行本店１では、例えば、図１に示すように、銀行支店２での利用目的に応じて、貨幣を２つの紙幣収納袋４１、４２に分けて収納することができる。具体的には、例えば、銀行支店２の紙幣処理装置用の紙幣を紙幣収納袋４１に詰めて、銀行支店２でテラーが利用する紙幣を紙幣収納袋４２に詰める。この場合は、紙幣収納袋４１に詰める紙幣を１つのグループとして、紙幣収納袋４２に詰める紙幣を別のグループとするように、紙幣処理装置１０で紙幣処理を行う。この結果、管理サーバ２０では、紙幣収納袋４１に詰めた紙幣の記番号から成る記番号データ２０Ａと、紙幣収納袋４２に詰めた紙幣の記番号から成る記番号データ２０Ｂとが別々に管理されることになる。
【００３３】
また、貨幣管理システムでは、銀行支店２へ輸送する紙幣を、ＡＴＭカセット３０や紙幣収納袋４１、４２などの複数の収納容器に分けて収納することになった場合に、これら複数の収納容器に詰められた全ての紙幣の記番号を１つにグループ化して管理することも可能である。１グループの紙幣を複数の収納容器に分けて収納する場合でも、銀行支店２では、複数の収納容器のいずれかから取り出した１枚の紙幣１１１の記番号を利用して、銀行支店２に輸送された全ての紙幣、すなわち複数の収納容器に分けて収納された全紙幣の記番号を特定することができる。なお、銀行支店２へ輸送する大量の紙幣１１０を複数の収納容器に分けて収納する場合も、複数の収納容器のＩＤを、１グループの記番号データ２０Ａ（２０Ｂ）と関連付けて管理してもよい。
【００３４】
紙幣処理装置１０では、複数の集積部を、目的別に２つに分けて利用することができる。例えば、８個の集積部のうち左側４個の集積部ではＡＴＭ５０用の紙幣を集積して、右側４個の集積部では銀行支店２の窓口での出金用の紙幣を集積してもよい。この場合は、紙幣処理装置１０で、左側４個の集積部に集積する紙幣をグループ化して、右側４個の集積部に集積する紙幣をグループ化するように指定する。
【００３５】
具体的には、左側４個の集積部に集積する紙幣の金種及び枚数を指定して、これらの紙幣の記番号をグループ化するよう指定すると共に、右側４個の集積部に集積する紙幣の金種及び枚数を指定して、これらの紙幣の記番号をグループ化するよう指定して、紙幣処理装置１０で紙幣処理を実行する。この結果、管理サーバ２０では、左側４個の集積部から抜き取った紙幣の記番号から成る記番号データ２０Ａと、右側４個の集積部から抜き取った紙幣の記番号から成る記番号データ２０Ｂとが別々に管理されることになる。
【００３６】
このように、貨幣管理システムでは、紙幣処理装置１０で処理される紙幣をどのようにグループ分けするかを指定することにより、管理サーバ２０では紙幣処理装置１０で指定された通りに、紙幣の記番号をグループ化して管理することができる。
【００３７】
ＡＴＭ５０用の紙幣や、銀行支店２用の紙幣を準備する際に、複数の記番号と関連付けた管理コードを生成して、この管理コードを管理票に印刷したり結束紙幣の結束帯に印刷したりする必要はなく、グループ化する紙幣を指定するだけで、記番号を利用して多数枚の紙幣を管理することができる。グループ化された紙幣を収納容器に詰める場合には、グループ化された紙幣の中から１枚の紙幣を選択して記番号を読み取るだけで、収納容器に詰められた紙幣の記番号を特定することができる。
【００３８】
なお、紙幣収納袋４１、４２に収納する紙幣はバラ紙幣に限定されず、結束紙幣であっても構わない。紙幣処理装置１０が、所定枚数の紙幣を結束して結束紙幣を作成する機能を有し、紙幣収納袋４１、４２に収納する紙幣の一部又は全部を結束紙幣とする場合でも、上述した方法により、結束紙幣に含まれる紙幣をグループ化して管理することができる。具体的には、複数の結束紙幣に含まれる全紙幣の記番号を１グループとして管理することもできるし、結束紙幣に含まれる紙幣及びバラ紙幣を１グループとして管理することも可能である。
【００３９】
図２は、貨幣管理システムを構成する各装置の構成概略を示すブロック図である。紙幣処理装置１０は、紙幣処理部１２、記番号読取部１３、操作表示部１４及び通信部１５と、これら各部を制御して本実施形態に記載する機能及び動作を実現する制御部１１とを有する。
【００４０】
紙幣処理部１２は、受入部の紙幣を装置内に繰り出して識別計数し、ＡＴＭ５０用の紙幣や銀行支店２用の紙幣等、予め指定された紙幣を集積部に集積して、それ以外の紙幣をリジェクトする機能を有する。記番号読取部１３は、集積部に集積される紙幣の記番号を読み取る機能を有する。なお、図２では、紙幣処理部１２と記番号読取部１３とを別々に示しているが、これらが別構成である態様に限定されるものではなく、紙幣処理部１２に含まれる識別部が、紙幣の金種や真偽等の識別処理、及び紙幣記番号を読み取る文字認識処理の両方を行う態様であっても構わない。
【００４１】
操作表示部１４は、例えば、設定操作や指示操作を行うためのボタン、関連する情報を出力表示するための液晶表示部等から成り、表示された情報を確認しながら、グループ化する紙幣の指定、紙幣処理内容の設定、紙幣処理に関する指示等の操作を行うために利用される。ただし、操作表示部１４が紙幣処理装置１０に含まれる態様に限定されるものではなく、紙幣処理装置１０とは別に、操作表示部１４の機能を実現する操作端末を設ける態様であってもよい。
【００４２】
通信部１５は、有線又は無線で接続された管理サーバ２０と、データを送受信する機能を有する。記番号読取部１３で読み取った記番号は、管理サーバ２０へ送信され、管理サーバ２０内の記憶部２２で管理される。
【００４３】
管理サーバ２０は、不揮発性のハードディスク等から成る記憶部２２と、紙幣処理装置１０とデータを送受信するための通信部２３と、これら各部を制御して本実施形態に記載する機能及び動作を実現する制御部２１とを有する。管理サーバ２０の制御部２１は、紙幣処理装置１０から受信した情報に基づいて、記番号をグループ化して管理する紙幣情報管理部として機能する。
【００４４】
管理サーバ２０の通信部２３は、銀行本店１内では、ＬＡＮ等のネットワークを利用して紙幣処理装置１０の通信部１５とデータを送受信する。また、通信部２３は、銀行支店２の支店サーバ６０等、銀行本店１外にある装置との間では、セキュリティに係る安全性及び信頼性を確保するようにして、インターネット等の公衆通信網や専用通信網等を利用して構築した専用のネットワーク７０を利用してデータを送受信する。
【００４５】
なお、図２には示していないが、ネットワーク７０にはＡＴＭ５０も接続されており、ＡＴＭ５０で行われた貨幣処理に関する情報を管理サーバ２０へ送信できるようになっている。また、ＡＴＭ５０の設置拠点で、紙幣や硬貨を識別計数する貨幣処理装置が利用される場合があるが、これらの貨幣処理装置をＡＴＭ５０に接続することにより、ＡＴＭ５０を介して、貨幣処理装置と管理サーバ２０との間でデータを送受信することも可能となっている。
【００４６】
例えば、ＡＴＭ５０が設置されている小売店舗で紙幣計数機を利用している場合に、銀行本店１で、店舗のＡＴＭ５０で利用する紙幣をＡＴＭカセット３０に詰めて、店舗で利用する紙幣を紙幣収納袋４１に詰めて店舗へ輸送する。店舗は、銀行支店２とは異なり、銀行用のネットワーク７０を利用する権限を有さないため、管理サーバ２０から直接データを受信することはできない。このため、店舗の紙幣計数機をＡＴＭ５０に接続して、紙幣計数機で取得した紙幣記番号等の情報を、ＡＴＭ５０を介して管理サーバ２０へ送信する。また、店舗で、管理サーバ２０で管理されている記番号データ２０Ａ、２０Ｂが必要となった場合には、これらのデータを、ＡＴＭ５０を経由して、管理サーバ２０から受信する。また、店舗で利用する紙幣計数機に関する情報や、紙幣計数機で行われた紙幣処理に関する情報を、ＡＴＭ５０を経由して管理サーバ２０へ送信して、管理サーバ２０で店舗の紙幣計数機を管理することも可能となっている。
【００４７】
図３は、管理サーバ２０で管理される記番号データ２０Ａ、２０Ｂの例を示す図である。管理サーバ２０では、図３（ａ）に示すように、グループ化した記番号を１つのデータファイルとして管理する。具体的には、図１に示す記番号データ２０Ａを図３に示すように１つのデータファイル２００Ａとして管理して、記番号データ２０Ｂを別のデータファイル２００Ｂとして管理する。各データファイル２００Ａ、２００Ｂ内で、記番号をカンマ等の記番号区切り文字で区切ることにより、各グループに含まれる全ての紙幣の記番号を特定することができる。
【００４８】
また、管理サーバ２０では、図３（ｂ）に示すように、複数グループの記番号を１つのデータファイル２１０として管理することもできる。この場合は、各記番号をカンマ等の記番号区切り文字で区切ると共に、各グループをカンマとは異なるアスタリスク等のグループ区切り文字２１１で区切る。これにより、１つのデータファイル２１０内で、図１に示す記番号データ２０Ａを示すデータ群２１０Ａと、記番号データ２０Ｂを示すデータ群２１０Ｂとを管理することができる。
【００４９】
なお、管理サーバ２０では、グループ化した記番号と共に、グループ化した紙幣を詰めた収納容器を示す収納容器情報を管理することもできる。例えば、図１に示す記番号データ２０Ａでグループ化された紙幣が、ＡＴＭカセット３０に詰められた場合に、ＡＴＭカセット３０に、このカセットを特定するためのカセットＩＤ等の収納容器情報が付されている場合には、このカセットＩＤを、記番号データ２０Ａと共に管理する。同様に、例えば、記番号データ２０Ｂでグループ化された紙幣が、紙幣収納袋４１に詰められた場合に、紙幣収納袋４１に、この紙幣収納袋４１を特定するためのバッグＩＤ等の収納容器情報が付されている場合には、このバッグＩＤを、記番号データ２０Ｂと共に管理する。具体的には、図３に示すデータファイル２００Ａ、２００Ｂの先頭又は末尾や、データ群２１０Ａ、２１０Ｂの先頭又は末尾に、収納容器情報を追加する。これにより、ＡＴＭカセット３０や紙幣収納袋４１、４２に収納された全紙幣の記番号を特定したい場合に、収納されている紙幣の記番号を利用する他、収納容器情報に基づいて、グループ化された全紙幣の記番号を特定することも可能となる。
【００５０】
このように、管理サーバ２０では、記番号のデータのみをグループ化して管理することができる。また、ＡＴＭカセット３０や紙幣収納袋４１、４２等の収納容器に詰めた紙幣の記番号をグループ化して、収納容器を特定する収納容器情報と共に管理することもできる。
【００５１】
この他、管理サーバ２０では、グループ化された記番号と共に、紙幣処理に関する情報を管理することも可能となっている。図４は、管理サーバ２０で管理される、紙幣の記番号及びこの紙幣に関する情報の例を示す図である。このように、管理サーバ２０で管理するデータには、グループコードと、このグループコードが作成された作成日時と、このグループコードで管理される紙幣が処理された紙幣処理の処理番号と、紙幣が処理された紙幣処理装置１０を示す装置ＩＤと、紙幣処理装置１０で作成された紙幣の束に連続番号を割り当てた束ＩＤと、１グループの紙幣の合計金額を算出可能な金種及び枚数等を含む金額情報（図４の「金額」）と、１グループの紙幣を詰めた収納容器を特定するための収納容器ＩＤ（収納容器情報）と、１グループに含まれる各紙幣の記番号とが含まれる。なお、図４の例では、「金額」の欄に、金種情報を示しているが、管理する情報の中に、正損等の情報を含めることも可能となっている。また、束ＩＤとは、結束紙幣、バッチ枚数分の紙幣の束、集積部が満杯になって抜き取られた紙幣の束等のそれぞれを区別するために割り当てられる連続番号である。
【００５２】
図４上段に示すデータは、計数装置ＩＤ「１０１」の紙幣処理装置１０で行われた処理番号「００１」の処理で、束ＩＤが「０００１」〜「００２０」の１００枚２０束、合計２０００枚の千円札を、カセットＩＤ「Ｃ００１」のＡＴＭカセット３０に詰めてグループ化した場合を示しており、このグループに含まれる紙幣の記番号が「Ａ０００１」等であることを示している。また、下段に示すデータは、同じ紙幣処理装置１０で行われた処理番号「００２」の処理で、束ＩＤが「００２１」〜「００２５」の１００枚４束の千円札及び１００枚１束の五千円札の合計５００枚の紙幣を、バッグＩＤ「Ｂ００１」の紙幣収納袋４１に詰めてグループ化した場合を示しており、このグループに含まれる紙幣の記番号が「Ｘ０００７」等であることを示している。
【００５３】
グループコードは、銀行本店１にある複数の紙幣処理装置１０で作成される結束紙幣及び紙幣束の全てを区別できるように作成される。例えば、図４に示すように、作成日時を示す数字と、装置ＩＤと、処理番号とを結合してグループコードが作成される。
【００５４】
図４に示すように、グループ化した全ての紙幣の記番号と、これらの紙幣に関連する情報とを管理サーバ２０で管理することにより、各紙幣が銀行本店１で準備された際の紙幣処理の内容等を確認することができる。管理サーバ２０で管理するデータを、図３に示すように記番号のみから成るデータとするか、このデータに収納容器情報を追加したデータとするか、図４に示すように紙幣に関する情報を含むデータとするかについては、設定により変更できるようになっている。また、図４に示すように記番号と共に保存して管理する情報は、設定により選択可能であり、例えば、記番号情報と金額情報のみを管理する態様であってもよい。
【００５５】
次に、グループ化する紙幣の指定方法について説明する。図５は、紙幣処理装置１０でグループ化する紙幣を指定する方法を説明するフローチャートである。図５（ａ）は、グループ化する紙幣の金種及び枚数が予め決まっている場合の指定方法を示し、同図（ｂ）は、グループ化する紙幣の金種及び枚数が決まっていない場合の指定方法を示している。
【００５６】
例えば、ＡＴＭカセット３０へ詰める紙幣のように、予めカセット内に詰める紙幣の種類及び枚数が決まっている場合には、図５（ａ）に示すように、紙幣処理装置１０の操作表示部１４を操作してグループ化する紙幣の金種、正損等の種類と枚数とを指定する（ステップＳ１）。そして、紙幣処理装置１０で、紙幣を識別計数して、ＡＴＭ５０での利用に適した指定金種の正券の紙幣を、指定枚数分、集積部に集積する処理を開始する。
【００５７】
具体的には、紙幣処理装置１０は、受入部から１枚ずつ装置内に繰り出した紙幣を紙幣処理部１２で識別計数して（ステップＳ２）、各紙幣の記番号を記番号読取部１３で読み取って（ステップＳ３）、集積部に集積する。
【００５８】
紙幣処理装置１０は、例えば、グループ化するよう指定された種類の紙幣を、集積部に所定枚数（例えば１００枚）ずつ集積するバッチ処理を実行する。紙幣処理装置１０の利用者は、バッチ枚数分１００枚の紙幣が集積部に集積される度に、集積部から紙幣を抜き取る作業を繰り返す。
【００５９】
紙幣処理装置１０では、集積部にバッチ枚数分１００枚の紙幣を集積すると、この集積部への紙幣の集積を停止して、集積部からの紙幣の抜き取りを検知すると、この集積部を再度紙幣の集積に利用する。なお、複数の集積部を同じ種類の紙幣の集積に利用する場合には、１つの集積部に１００枚の紙幣を集積するとこの集積部での集積を停止し、続いて別の集積部で紙幣の集積を開始する。ただし、グループ化する紙幣を準備するための紙幣処理がバッチ処理に限定されるものではなく、集積部が満杯になるまで紙幣を集積する態様であっても構わない。
【００６０】
紙幣処理装置１０は、グループ化するよう指定された種類の紙幣を指定された枚数分、集積部に集積し終えるまでの間（ステップＳ４；Ｎｏ）、紙幣を識別計数して記番号を読み取る処理を繰り返し、指定枚数分の紙幣を集積部に集積し終えると（ステップＳ４；Ｙｅｓ）、処理を終了する。
【００６１】
グループ化する紙幣全てを識別計数して記番号を読み取る処理を終了すると、紙幣処理装置１０の制御部１１は、グループ化する紙幣全ての記番号を、通信部１５を介して管理サーバ２０へ送信する。管理サーバ２０は、紙幣処理装置１０から受信した記番号を、図３又は図４に示したようにグループ化して、記憶部２２で管理する。
【００６２】
このように、グループ化するよう予め指定した種類の紙幣を指定した枚数分、紙幣処理装置１０の集積部に集積すると共に、この集積部に集積した全ての紙幣の記番号をグループ化して管理サーバ２０で管理することができる。
【００６３】
また、例えば、小売店舗から銀行本店１に回収してきた、金種及び枚数が不明な紙幣を、金種別にグループ化するような場合には、図５（ｂ）に示すように、紙幣処理装置１０の利用者が操作表示部１４を操作して、これから紙幣処理装置１０へ投入する紙幣を金種別にグループ化するようグループ化開始を指示して（ステップＳ１１；Ｙｅｓ）、紙幣の処理を開始する。なお、グループ化開始の指示があるまでは（ステップ１１；Ｎｏ）、グループ化に係る処理は行わず、従来通りに紙幣処理を行うことになる。
【００６４】
店舗から回収した紙幣を受入部に載置して、グループ化する処理を開始すると、紙幣処理装置１０は、受入部から１枚ずつ装置内に繰り出した紙幣を紙幣処理部１２で識別計数して（ステップＳ１２）、記番号読取部１３で各紙幣の記番号を読み取って（ステップＳ１３）、金種ごとに異なる集積部に集積する。受入部に載置された全ての紙幣を識別計数して集積部に集積し終えるまでの間（ステップＳ１４；Ｎｏ）、紙幣を識別計数して記番号を読み取って金種別に分類する処理が繰り返される。集積部が満杯になって集積部への集積が停止された場合には、利用者がこの集積部の紙幣を抜き取ると、集積部での紙幣の集積が再開される。利用者は、同じ集積部から抜き取った紙幣を、専用の籠や袋等の収納容器に入れたり、ゴムやテープ等で結束したりすることにより、グループ化した紙幣をまとめて管理する。処理対象とする全ての紙幣を紙幣処理装置１０で識別計数して集積部に集積し終えると、利用者は、操作表示部１４を操作して、グループ化の終了を指示して（ステップＳ１４；Ｙｅｓ）、処理を終了する。
【００６５】
紙幣をグループ化する処理を終了すると、紙幣処理装置１０の制御部１１は、紙幣全ての記番号をグループごとにまとめて、通信部１５を介して管理サーバ２０へ送信する。紙幣を金種別にグループ化するよう指定しているため、この場合は、紙幣の金種ごとに記番号がグループ化されることになる。管理サーバ２０は、紙幣処理装置１０から受信した記番号を、図３又は図４に示したようにグループ化して、記憶部２２で管理する。
【００６６】
このように、グループ化する紙幣の種類のみを指定して、指定した種類の紙幣を紙幣処理装置１０の集積部に集積すると共に、この集積部に集積した全ての紙幣の記番号をグループ化して管理サーバ２０で管理することができる。
【００６７】
また、この他、紙幣の種類及び枚数の両方を指定せずに、グループ化開始を指示してからグループ化終了を指示するまでの間に、紙幣処理装置１０で処理して記番号を読み取った全ての紙幣をグループ化して管理サーバ２０で管理することもできる。具体的には、グループ化開始を指示した後、グループ化したい全ての紙幣を紙幣処理装置１０で処理する。全ての紙幣の処理を終えた後、グループ化終了を指示すると、紙幣処理装置１０は、グループ化開始が指示されてからグループ化終了が指示されるまでの間に読み取った紙幣の記番号を、通信部１５を介して管理サーバ２０へ送信する。管理サーバ２０では、紙幣処理装置１０から受信した記番号を、図３又は図４に示したようにグループ化して、記憶部２２で管理する。
【００６８】
貨幣管理システムでは、既にグループ化してある紙幣を、１グループにまとめることも可能となっている。図６は、グループ化済みの紙幣束１１０Ａ〜１１０Ｅを１グループにまとめる方法を説明するための模式図である。例えば、既にグループ化されている各束４００枚の５つの紙幣束１１０Ａ〜１１０Ｅを、ＡＴＭカセット３０に詰める場合には、ハンディ型のスキャナ８０を利用して、各紙幣束１１０Ａ〜１１０Ｅから抜き出した５枚の紙幣１１１Ａ〜１１１Ｅの記番号を読み取って、管理サーバ２０へ入力する。管理サーバ２０では、スキャナ８０から入力された５つの記番号に基づいて、これらの記番号が属する５つの紙幣束１１０Ａ〜１１０Ｅのグループを１グループに統合する。これにより、ＡＴＭカセット３０に収納された合計２０００枚の紙幣の記番号を、１グループにグループ化して管理することができる。
【００６９】
なお、既存の複数グループを統合する際に、統合するグループを指定する方法は、スキャナ８０を利用して各グループに含まれる紙幣１１１Ａ〜１１１Ｅの記番号を入力する態様の他、各紙幣１１１Ａ〜１１１Ｅの記番号を利用者が読み取って手入力する態様であってもよいし、管理サーバ２０上で、統合するグループの紙幣束１１０Ａ〜１１０Ｅを直接指定する態様であっても構わない。また、管理サーバ２０へ直接データを入力したり管理サーバ２０を直接操作したりする態様に限らず、統合する各グループに含まれる紙幣１１１Ａ〜１１１Ｅの記番号や、紙幣束１１０Ａ〜１１０Ｅを指定する情報を、管理サーバ２０と接続された紙幣処理装置１０や、別端末に接続されたスキャナを介して、管理サーバ２０へ入力する態様であっても構わない。
【００７０】
上述してきたように、本実施形態に係る貨幣管理システム及び貨幣管理方法によれば、ＡＴＭ５０用に準備してＡＴＭカセット３０に詰めた紙幣や、銀行支店２や小売店舗用に準備して紙幣収納袋４１、４２に詰めた紙幣をそれぞれグループ化して管理することができる。各紙幣の記番号を読み取ってグループ化して管理することができるので、各記番号を関連付けるための管理コードを生成する必要はなく、記番号データのみを利用して、各グループに属する複数枚の紙幣を管理することができる。管理コード等の情報を印刷した管理票を印刷して紙幣束に付したり、結束紙幣の結束帯に管理コード等を印刷したりする必要がないので、グループ化した紙幣を容易に管理することができる。
【００７１】
グループ化する紙幣の枚数は制限されないので、複数の紙幣収納袋４１、４２に分けて収納される大量の紙幣や、複数の結束紙幣に含まれる大量の紙幣であっても、全ての紙幣を１つのグループにグループ化して管理することができる。
【００７２】
また、紙幣が属するグループを特定する際には、グループに属する紙幣を１枚抜き出して記番号を読み取れば、この記番号とグループ化された全ての記番号を特定することができる。袋内にランダムに収納した場合でも１枚の紙幣を抜き出して記番号を読み取るだけでよいので、グループ化された紙幣を容易に特定することができる。また、結束紙幣が作成されている場合も、結束紙幣の表面側又は裏面側の１枚の紙幣から記番号を読み取るだけで、紙幣を結束した状態のままで結束紙幣に含まれる全ての紙幣を容易に特定することができる。
【産業上の利用可能性】
【００７３】
以上のように、本発明に係る貨幣管理システム及び貨幣管理方法は、多数枚の紙幣をグループ化して管理するために有用である。
【符号の説明】
【００７４】
１０  紙幣処理装置
１１  制御部
１２  紙幣処理部
１３  記番号読取部
１４  操作表示部
１５、２３  通信部
２０  管理サーバ
２１  制御部（紙幣情報管理部）
２２  記憶部
３０  ＡＴＭカセット
４１、４２  紙幣収納袋
６０  支店サーバ
７０  ネットワーク
８０  スキャナ
【図１】
0006555996.tif 000002
【図２】
0006555996.tif 000003
【図３】
0006555996.tif 000004
【図４】
0006555996.tif 000005
【図５】
0006555996.tif 000006
【図６】
0006555996.tif 000007